(57)【要約】【課題】足に刺激を与え健康の増進を図る足部刺激健康具を提供する。【解決手段】対向縁の上端間を伸縮性指掛紐４により連繋してある左右一対の横長帯片１、２の下端をファスナ類で連繋してこの横長帯片１、２の対向縁と前記した伸縮性指掛紐４とにより囲まれる指掛け空間５を形成するとともに、両横長帯片１、２の遊端末同士をファスナ類で連繋して踵掛け部６を形成できるようにしたうえ、前記左右の横長帯片１、２の一方に先端部にファスナ類を設けた補助伸縮性バンド７の基端部を取り付け、さらに、左右の横長帯片１、２の一方に先端部にファスナ類を設けた甲部押えバンド８の基端部を取り付ける。【選択図】　図３
2004105260.tif 000002
【特許請求の範囲】
【請求項１】
対向縁の上端間を伸縮性指掛紐（４）　により連繋してある左右一対の横長帯片（１）　、（２）　の下端をファスナ類で連繋してこの横長帯片（１）　、（２）　の対向縁と前記した伸縮性指掛紐（４）　とにより囲まれる指掛け空間（５）　を形成するとともに、両横長帯片（１）　、（２）　の遊端末同士をファスナ類で連繋して踵掛け部（６）を形成できるようにしたうえ、前記左右の横長帯片（１）　、（２）　の一方に先端部にファスナ類を設けた補助伸縮性バンド（７）　の基端部を取り付け、さらに、左右の横長帯片（１）、（２）の一方に先端部にファスナ類を設けた甲部押えバンド（８）の基端部を取り付けたことを特徴とする足部刺激健康具。
【発明の詳細な説明】
【０００１】
【発明の属する技術分野】
本発明は、足に適度な刺激を与えて血行を良くして筋肉疲労を緩和できるうえ正しい歩行姿勢のとれる足部刺激健康具に関するものである。
【０００２】
【従来の技術】
【特許文献１】特開２００１−８７２９７公開特許公報
【０００３】
従来、足に刺激を与え健康の増進を図るものとしては、足裏を竹や突起付のマットで踏み刺激を与える青竹踏みと称されるものや突起付のサンダルを履き足裏に刺激を与えるものが知られている。
【０００４】
【発明が解決しようとする課題】
ところが、前記のような青竹踏みにあっては足踏みが単調であり持続することが難しく、また、突起付のサンダルは全体重が突起が接触する足裏に加わり履き慣れるまで苦痛を伴う問題がある。
【０００５】
【課題を解決するための手段】
前記の課題を解決するためになされた本発明は、対向縁の上端間を伸縮性指掛紐により連繋してある左右一対の横長帯片の下端をファスナ類で連繋してこの横長帯片の対向縁と前記した伸縮性指掛紐とにより囲まれる指掛け空間を形成するとともに、両横長帯片の遊端末同士をファスナ類で連繋して踵掛け部を形成できるようにしたうえ、前記左右の横長帯片の一方に先端部にファスナ類を設けた補助伸縮性バンドの基端部を取り付け、さらに、左右の横長帯片の一方に先端部にファスナ類を設けた甲部押えバンドの基端部を取り付けたことを特徴するものである。
【０００６】
【発明の実施の形態】
次に、本発明の好ましい実施の形態を図面に基づき説明する。
１、２は伸縮性を有する布地または編地よりなる左右一対の横長帯片である。この横長帯片１、２はその一方の横長帯片１が他方の横長帯片２より長いもので、その遊端はファスナ類３により係脱自在に連繋している。そのファスナ類３としては面ファスナが縫着されている。そして、この左右一対の横長帯片１、２は相互間に所要の間隔をおいて配置されてその対向縁の上端間を伸縮性指掛紐４により連繋している。この伸縮性指掛紐４は前記左右一対の横長帯片１、２との上端間に細布部として縁取りをして一体に形成したものであるが別異のゴムひも等の伸縮材を逢着してもよいものである。
【０００７】
また、この左右一対の横長帯片１、２の対向縁の下端同士もファスナ類３により係脱自在に連繋することにより、横長帯片１、２の対向縁と前記した伸縮性指掛紐４とにより図２に示すように囲まれる指掛け空間５が形成されるようになっている。また、前記したように両横長帯片１、２の遊端末同士をファスナ類３により連繋するすることにより図４に示すように踵掛け部６が形成されるようになっている。
【０００８】
横長帯片１、２の遊端末同士を係脱自在に連繋するファスナ類３として、面ファスナを使用しており、その雄側であるフック面部３ａを一方の横長帯片１の外端に縫着する一方、雌部であるループ面部３ｂとしては他方の横長帯片２の外端面に輪奈などが形成されている起毛地を用いているが、別異のループ面部３ｂを横長帯片２の外面に縫着してもよい。
【０００９】
また、横長帯片１、２の対向縁と伸縮性指掛紐４とにより囲まれる指掛け空間５を形成する手段として、ファスナ類３は面ファスナを使用しているので雄部であるフック面部３ａを一方の横長帯片１の内端内面の下縁側に縫着する一方、雌部であるループ面部３ｂは他方の横長帯片２の内端外面の下縁側に前記の場合と同様にして形成し、両者を係脱自在とするとともに連繋位置を調節自在とすることにより、装着する人の足の大きさや形に応じて調節自在としている。
【００１０】
また、７は左右の横長帯片１、２の一方にその基端部をもって取り付けた先端部にファスナ類３を設けた小指掛用の補助伸縮性バンドである。このファスナ類３は面ファスナを使用しているので雄部であるフック面部３ａが取り付けられており、横長帯片１、２に形成した雌部であるループ面部に係合するものとされている。
【００１１】
さらに、８は左右の横長帯片１、２の一方に基端部をもって取り付けた先端にファスナ類を設けた甲部押えバンドである。この甲部押えバンド８のファスナ類３は面ファスナを使用しているので雄部であるフック面部３ａが取り付けられており、横長帯片１、２に形成した雌部であるループ面部に係合するものとされている。なお、前記補助伸縮性バンド７及び甲部押えバンド８は基端部を縫着の手段により横長帯片１、２に一体に取り付けたものであるが、ファスナ類におり着脱自在に取り付けても良いことは勿論である。
【００１２】
このように構成されたものは、先ず図１の展開状態から図２に示すように横長帯片１、２の対向縁の下端同士をファスナ類で連携して、横長帯片１、２の対向縁と伸縮性指掛紐４とにより囲まれる指掛け空間５を形成する。次に、図３に示すように横帯長片１を屈曲させて、該横帯長片１の遊端末と横帯長片２の遊端末をファスナ類３により連携して図４に示すように踵掛け部６を形成する。
【００１３】
続いて、図５に示すように親指Ａと人差し指Ｂとの間に伸縮性指掛紐４を引っかけ、その後に横長帯片１、２の遊端末同士をファスナ類３により連繋させた踵掛け部６に踵Ｄに係止させる。そして、図６に示すように、補助伸縮性バンド７を甲側から引き回して小指Ｅと薬指Ｆとの間に装着したうえ先端のファスナ類３であるフック面部３ａを足裏に位置する横長帯片１の外面に形成されているループ面部３ｂの任意の箇所に補助伸縮性バンド７の張力を調整して係止する。このように足に装着したら、甲部押えバンド８を一方の横長帯片にから甲部上部に回しこみ先端のファスナ類であるフック面部３ａを足裏に位置する横長帯片２の外面に形成されているループ面部３ｂの任意の箇所に張力を調整して係止して、足の甲の中央を囲装するとともに補助伸縮性バンド７を押さえ込むと、これにより該横長帯片１、２は甲部押えバンド７により足の甲側に引き寄せられて足の表面に密着することとなり、横長帯片１、２が足から離脱するのを防止できるものである。また、この甲部押えバンド７は足の甲の中央を囲装しているので、甲の中央に快適な刺激を与えるものである。
【００１４】
このような足部刺激健康具は、横長帯片１、２と伸縮性指掛紐４と補助伸縮性バンド７及び甲部押えバンド８とよりなるから、足に装着したままで靴を履くことができ、装着したままで通常の生活を行なうことができるのでものであって、装着時には親指Ａと人差し指Ｂとの間に伸縮性指掛紐４が、小指と薬指との間に補助伸縮性バンド７が引っかけられていることにより指全体が下側に曲げられて靴を履いた状態では足裏が靴内において指を的確に使う歩行を行うので、腰、脚に負担を掛けることがなくて疲れのない歩行ができるものである。また、指全体が下側に曲げられることにより土踏まずのブリッジが保持されるうえに、伸縮性指掛紐４が歩行に伴う足の動きにより伸縮して押圧力を変えた刺激を与えて足の筋肉を運動させるので、より血行を良くして疲労が出ないものである。
【００１５】
【発明の効果】
以上に説明したように、本発明は伸縮性指掛紐が親指と人差し指との間に補助伸縮性バンドが小指と薬指との間に適度な刺激を与えて足の筋肉を動かし血行を良くするものであり、また、装着した状態で靴等の履物を履いた場合に指全体が下側に曲がり、歩行時に指を的確に使う歩行を行うので、足に負担を掛けない疲れのない合理的な歩行が自然にできるものである。さらに、甲部押えバンドにより横長帯片は足の甲側に引き寄せられて足の表面に密着することとなり、横長帯片が足から離脱するのを防止できるものである。
【図面の簡単な説明】
【図１】本発明の実施の形態を展開して示す平面図である。
【図２】本発明の実施の形態を態様異にして示す平面図である。
【図３】本発明の実施の形態を態様異にして示す平面図である。
【図４】本発明の実施の形態を態様異にして示す平面図である。
【図５】本発明の足部刺激健康具を足に装着する過程を示した平面図である。
【図６】本発明の足部刺激健康具を足に装着する過程を示した平面図である。
【図７】本発明の足部刺激健康具を足に装着する過程を示した平面図である。
【図８】本発明の足部刺激健康具を足に装着した状態を足裏側から示す底面図である。
【図９】
本発明の足部刺激健康具を足に装着した状態を側方から示す側面図である。
【符号の説明】
１　横長帯片
２　横長帯片
３　ファスナ類
４　伸縮性指掛紐
５　指掛け空間
７　補助伸縮性バンド
８　甲部押えバンド
【図１】
2004105260.tif 000003
【図２】
2004105260.tif 000004
【図３】
2004105260.tif 000005
【図４】
2004105260.tif 000006
【図５】
2004105260.tif 000007
【図６】
2004105260.tif 000008
【図７】
2004105260.tif 000009
【図８】
2004105260.tif 000010
【図９】
2004105260.tif 000011
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
対向縁の上端間を伸縮性指掛紐（４）　により連繋してある左右一対の横長帯片（１）　、（２）　の下端をファスナ類で連繋してこの横長帯片（１）　、（２）　の対向縁と前記した伸縮性指掛紐（４）　とにより囲まれる指掛け空間（５）　を形成するとともに、両横長帯片（１）　、（２）　の遊端末同士を連繋して踵掛け部（６）を形成できるようにしたうえ、前記左右の横長帯片（１）　、（２）　の一方に先端部にファスナ類を設けた補助伸縮性バンド（７）　の基端部を取り付け、さらに、左右の横長帯片（１）、（２）の一方に先端部にファスナ類を設けた甲部押えバンド（８）の基端部を取り付けたことを特徴とする足部刺激健康具。
【請求項２】
両横長帯片（１）　、（２）　の遊端末同士の連携をファスナ類で行い踵掛け部（６）を形成できるようにした請求項１に記載の足部刺激健康具。
【手続補正２】
【補正対象書類名】明細書
【補正対象項目名】０００２
【補正方法】変更
【補正の内容】
【０００２】
【従来の技術】
【特許文献１】特開２００１−８７２９７公開特許公報
【特許文献２】特開平１０−５２４７２公開特許公報
【特許文献３】特開平１１−１６９４２６公開特許公報


【手続補正３】
【補正対象書類名】明細書
【補正対象項目名】０００５
【補正方法】変更
【補正の内容】
【０００５】
【課題を解決するための手段】
前記の課題を解決するためになされた本発明は、対向縁の上端間を伸縮性指掛紐により連繋してある左右一対の横長帯片の下端をファスナ類で連繋してこの横長帯片の対向縁と前記した伸縮性指掛紐とにより囲まれる指掛け空間を形成するとともに、両横長帯片の遊端末同士を連繋して踵掛け部を形成できるようにしたうえ、前記左右の横長帯片の一方に先端部にファスナ類を設けた補助伸縮性バンドの基端部を取り付け、さらに、左右の横長帯片の一方に先端部にファスナ類を設けた甲部押えバンドの基端部を取り付けたものを請求項１に記載の発明とし、この発明において、両横長帯片の遊端末同士の連携をファスナ類で行い踵掛け部を形成できるようにしたものを請求項２に記載の発明とする。
【手続補正書】
【提出日】平成15年10月29日(2003.10.29)
【手続補正１】
【補正対象書類名】明細書
【補正対象項目名】特許請求の範囲
【補正方法】変更
【補正の内容】
【特許請求の範囲】
【請求項１】
対向縁の上端間を伸縮性指掛紐（４）　により連繋してある左右一対の横長帯片（１）　、（２）　の下端をファスナ類で連繋してこの横長帯片（１）　、（２）　の対向縁と前記した伸縮性指掛紐（４）　とにより囲まれる指掛け空間（５）　を形成するとともに、両横長帯片（１）　、（２）　の遊端末同士をファスナ類で連繋して踵掛け部（６）を形成できるようにしたうえ、前記左右の横長帯片（１）　、（２）　の一方に先端部にファスナ類を設けた補助伸縮性バンド（７）　の基端部を取り付け、さらに、左右の横長帯片（１）、（２）の一方に先端部にファスナ類を設けた甲部押えバンド（８）の基端部を取り付けたことを特徴とする足部刺激健康具。
【手続補正２】
【補正対象書類名】明細書
【補正対象項目名】０００５
【補正方法】変更
【補正の内容】
【０００５】
【課題を解決するための手段】
前記の課題を解決するためになされた本発明は、対向縁の上端間を伸縮性指掛紐により連繋してある左右一対の横長帯片の下端をファスナ類で連繋してこの横長帯片　の対向縁と前記した伸縮性指掛紐とにより囲まれる指掛け空間を形成するとともに、両横長帯片の遊端末同士をファスナ類で連繋して踵掛け部を形成できるようにしたうえ、前記左右の横長帯片の一方に先端部にファスナ類を設けた補助伸縮性バンドの基端部を取り付け、さらに、左右の横長帯片の一方に先端部にファスナ類を設けた甲部押えバンドの基端部を取り付けたものを特徴とするものである。